(57)【要約】【課題】本発明によれば、定期的に非常点検の実施を促すことにより、定期点検の確実な実施を確保することができる非常用照明装置を提供することを目的とする。【解決手段】本実施形態によれば、ＬＥＤ７からの報知情報により、点検作業者等が誘導灯１は定期点検時期に達していることを外部から容易に確認することができるので、定期点検時期をしてしまうことを防止することができる。加えて、定期点検の実施時期であることを外部に促すことができるので、定期点検を実施する動機づけを生じやすくなっており、確実な定期点検の実施を実現することができる。【選択図】図３
2008108697.tif 000002
【特許請求の範囲】
【請求項１】
光源と；
光源を点灯する点灯回路と；
停電時または点検時に点灯回路に電源を供給するバッテリと；
常時にバッテリを充電する充電回路と；
点検信号の入力に応じてバッテリの寿命を自動的に判断する点検制御手段と；
点検制御手段の点検終了から次回の点検開始までの定期期間をカウントするタイマ手段と；
タイマ手段によるカウントが定期期間を経過すると外部に定期期間の経過を報知する報知手段と；
を具備していることを特徴とする非常用照明装置。
【請求項２】
タイマ手段は、停電が発生しても定期期間のカウントを継続するための補助電源手段を有することを特徴とする請求項１記載の非常用照明装置。
【請求項３】
タイマ手段は、停電が発生した場合には、停電発生直前のカウント値と保持するとともに、停電からの復帰後には保持されている停電発生直前のカウント値から継続してカウントすることを特徴とする請求項１記載の非常用照明装置。
【請求項４】
報知手段の報知動作は、バッテリからの電源が所定時間以上光源に供給されると解除することを特徴とする請求項１ないし３いずれか一記載の非常用照明装置。
【発明の詳細な説明】
【技術分野】
【０００１】
本発明は、非常用照明装置に関する。
【背景技術】
【０００２】
従来、非常照明装置である誘導灯や非常灯は、常時は、商用電源からの電力によりバッテリの充電が行われ、そして、商用電源からの電源の給電が遮断された非常時には、バッテリからの給電により光源が点灯するようになっている。
【０００３】
このような非常用照明装置は、非常時において人を誘導または最低限の照度を確保できるよう確実に光源が点灯することが最も重要であるので、定期的に諸事項を点検することが義務付けられているものである。
【０００４】
この定期的に点検を行う事項の一つに、例えば誘導灯であればバッテリからの電力供給によって所定時間（例えば２０分間）光源が点灯するかという点検（以下、「非常点検」という。）を誘導灯の点検スイッチを操作することで行うことが知られている。そして、このような非常点検は、点検スイッチを操作すると自動的にバッテリの寿命を検出し、バッテリが交換時期であると判断されるとバッテリの交換を促すことでバッテリユニットからの電力供給によって所定時間光源が点灯することを維持する技術である（例えば特許文献1参照）。
【０００５】
一方、特許文献１記載のような点検スイッチを用いた非常点検であっては、点検作業者が定期的に点検スイッチを直接操作しなくてはならないため、例えば誘導灯にタイマを設け、このタイマが所定期間（例えば６ヶ月）をカウントしているとともに、所定期間経過後の自動的に非常点検を実施するという技術も知られている（例えば特許文献２参照）。
【特許文献１】特開平８−１８５９８６号公報
【特許文献２】特開平６−２５９６７３号公報
【発明の開示】
【発明が解決しようとする課題】
【０００６】
このような特許文献１記載の技術は、点検作業者による定期的な点検スイッチ操作に依存するものであるが、点検スケジュールは点検作業者の管理に委ねているものである。したがって、仮に点検作業者が定期期間を徒過してしまった場合には定期点検の実施時期が遅れてしまい、バッテリ異常を早期に発見することができない虞があった。
【０００７】
また特許文献２記載の技術は、内蔵するタイマーで自動的に点検を実施してしまうため、本来ならば非常点検を実施したくない時間帯（イベント開催時や人の出入りが多い時間帯等）にバッテリを放電させた点検が行われてしまう虞があった。これでは、仮に非常点検終了後に停電が発生すると、当該バッテリは所定時間光源を点灯させることができないので、誘導灯の本来求められる非常時の信頼性を低下させるという課題がある。
【０００８】
本発明は上記に鑑みなされたものであり、定期的な非常点検の実施を促すことにより、定期点検の確実な実施を確保することができるとともに、不所望に非常点検を実施してしまうことがない非常用照明装置を提供することを目的とする。
【課題を解決するための手段】
【０００９】
請求項１に記載の誘導灯によれば、光源と；光源を点灯する点灯回路と；停電時または点検時に点灯回路に電源を供給するバッテリと；常時にバッテリを充電する充電回路と；点検信号の入力に応じてバッテリの寿命を自動的に判断する点検制御手段と；点検制御手段の点検終了から次回の点検開始までの定期期間をカウントするタイマ手段と；タイマ手段によるカウントが定期期間を経過すると外部に定期期間の経過を報知する報知手段と；を具備していることを特徴としている。
【００１０】
本発明及び以下の発明において、特に指定しない限り用語の定義および技術的意味は次による。
【００１１】
点灯回路は、光源を点灯させる手段であり、例えばインバータなどを主体として構成することができる。バッテリは、非常時に光源を所定時間の間点灯させるための電源を光源、点灯回路および点検手段などに供給する手段であって、充電池又は電気二重層コンデンサ等を適宜用いることができる。充電回路は、バッテリを充電する手段であり、例えば商用電源を整流して直流電圧を得てバッテリを充電する。なお、バッテリおよび充電回路は、後述の器具本体に内蔵されていてもよいし、また別置形であってもよい。
【００１２】
点検制御手段は、少なくともバッテリの寿命末期を点検するためのであるが、光源の不点を点検できるものであってもよい。
【００１３】
報知手段の報知方法は、専用に光源を設け、この光源を点灯又は点滅動作させることや音声による報知でもよい。また、非常用照明装置の主光源を用いて特別な点灯制御（不規則に点滅等）を行うことで報知する形態でもよい。
【００１４】
なお、非常用照明装置は、少なくとも停電時に光源が点灯する照明装置であって、誘導灯および非常灯を含むものである。
【００１５】
本発明の作用について説明する。まず、例えば、非常用照明装置の設置場所へ来た作業者は、特定の非常用照明装置の例えば点検スイッチの操作やリモコン等で非常点検を開始させる信号を点検制御手段に入力する。すると、点検制御手段によって点灯回路が擬似的に停電状態となるとともに、光源の点灯回路の電源をバッテリに切り換えて非常点検モードとする。この非常点検モード中に点検制御部ではバッテリの寿命点検及び判断が行われる。なお、点検制御部による点検は、点検モードが所定時間（例えば２０分）継続された場合に、当該所定時間後のバッテリの状態が寿命末期となっているか否か点検及び判断を行うことも含まれるし、所定時間内であってもバッテリの状態が寿命末期と判断されれば、当該情報を検出することもできるものであってもよい。
【００１６】
次に、所定時間経過して非常点検モードが終了すると、点検制御手段は例えば点検結果を記憶部へ書き込むとともに、外部に点検結果を報知する。
【００１７】
また、非常点検モードの終了とともに、次回の定期点検までの所定期間をカウントするためにタイマ手段が動作を開始する。すなわち、例えば６ヶ月間を所定期間とした場合には、非常点検終了とともに、少なくとも次回の定期点検時期が来る６ヶ月が経過するまでカウントを継続する。そして、６ヶ月経過すると所定期間が経過したことを外部に知らせるために、報知手段から報知される。このとき、点検制御手段は、所定期間が経過したとしても自動的にバッテリの寿命判断は行わないようになっている。
【００１８】
そして、報知手段からの報知情報により、点検作業者等が当該非常用照明装置は定期点検時期に達していることを容易に確認することができるので、定期点検時期を徒過してしまうことを防止する。加えて、定期点検の実施時期であることを外部に促すことができるので、定期点検を実施する動機づけを生じやすくなっており、確実な定期点検の実施を実現することができる。
【００１９】
また、タイマ手段で定期点検経過してもバッテリの寿命を自動的に判断しないようにしているため、本来は定期点検を実施してはならないときに誤って非常点検を実施しないようになっている。このため、非常用照明装置の信頼性を低下させることがない。
【００２０】
請求項２記載の非常用照明装置によれば、請求項１記載の非常用照明装置において、タイマ手段は、停電が発生しても定期期間のカウントを継続するための補助電源手段を有することを特徴としている。
【００２１】
本発明によれば、次回の定期点検時期のカウントを停電時間も含むようにしているため、確実に所定期間のカウントをすることができるので、次回の定期点検時期が実質的に延長することがない。
【００２２】
請求項３記載の非常用照明装置によれば、請求項１記載の照明装置において、タイマ手段は、停電が発生した場合には、停電発生直前のカウント値と保持するとともに、停電からの復帰後には保持されている停電発生直前のカウント値から継続してカウントすることを特徴とする。
【００２３】
本発明によれば、次回の定期点検時期のカウントが停電時間を除くようにしていることにより、バッテリが充電されている時間を定期時間カウントの基準としているものである。すなわち、バッテリの短寿命化を招く要因の一つは、バッテリの充放電を繰返すサイクルが多くなることであるが、仮に定期期間内に停電が複数回生じた場合にはその都度バッテリは充放電されることになるので、定期期間内に一度も停電がなかった状態に比べると短寿命化の傾向になる。したがって、バッテリが実際に点灯回路に接続されて光源へ電源を供給する時間は定期期間のカウントに含まないことで、バッテリの状態をタイムリーに判別できるようになる。
【００２４】
請求項４記載の非常用照明装置によれば、請求項１ないし３いずれか一記載の非常用照明装置において、報知手段の報知動作は、バッテリからの電源が所定時間以上光源に供給されると解除することを特徴とする。
【００２５】
「バッテリからの電源が所定時間以上光源に供給」とは、商用電源からの電源供給が遮断する停電状態又は任意にバッテリの点検をおこなう点検モードとなることを含む。そして、このような状態が定期点検で定められた所定時間以上経過した場合に報知動作が解除する。したがって、法令で定められた定期点検の条件を満足した場合に報知動作が解除されることにより、不用意に報知動作を解除してしまうことによる定期点検の実施徒過を防ぎ、定期点検の確実な実施につなげることができる。
【発明の効果】
【００２６】
請求項１記載の発明によれば、非常点検後にタイマ手段がカウントを始め、そしてこのカウントが所定期間を経過すると経過したことが報知手段から報知されることにより、点検作業者等が当該非常用照明装置は定期点検時期に達していることを容易に確認することができるので、定期点検時期を徒過してしまうことを防止するとともに、定期点検の実施を外部に促すことができるので、定期点検を実施する動機づけを生じやすくなっており、確実な定期点検の実施を実現することができる。
【００２７】
請求項２記載の発明によれば、次回の定期点検時期のカウントを停電時間も含むようにしているため、確実に所定期間のカウントをすることができるので、次回の定期点検時期が実質的に延長することがない。
【００２８】
請求項３記載の発明によれば、バッテリの短寿命化には繋がらない期間は所定期間のカウントに加えないことで、定期点検におけるバッテリの寿命状態の判別をタイムリーに行うことができる。
【００２９】
請求項４記載の発明によれば、法令で定められた定期点検の条件を満足した場合に報知動作が解除されることにより、不用意に報知動作を解除してしまうことによる定期点検の実施徒過を防ぎ、定期点検の確実な実施をより促すことができる。
【発明を実施するための最良の形態】
【００３０】
本発明の一実施形態を図面を参照して説明する。図１は第一実施形態の非常用照明装置である誘導灯を示した一部切欠き断面正面図、図２は本実施形態の誘導灯の斜視図、図３は本実施形態の誘導灯の回路構成図である。
【００３１】
非常用照明装置である誘導灯１は、器具本体９、点灯ユニット収納ボックス２、光源３、バッテリ２０、誘導表示体８、筐体５０、送受信ユニット７０等を具備しているものであって、天井または壁面に取付けられるものである。
【００３２】
器具本体９は、周枠部９１を有しており、その周枠部９１の一方側には開口部９８が形成され、他方側には底板９９が形成されている。
【００３３】
また器具本体９の周枠部９１の底辺９１Ａには第一、第二、第三および第四の孔部９２Ａ，９２Ｂ、９３，９４が形成されている。
【００３４】
また器具本体９の周枠部９１と底板９９とで形成された空間には電気部品収納部９５が形成されており、この収納部９５内に後述する点灯ユニット収納ボックス２、バッテリ２０および筐体５０が収納配置される。
【００３５】
また器具本体９の底板９９には点灯ユニット収納ボックス２の上方に壁面側から挿入される電源線の挿通用の電源線挿通孔９６が形成されており、同じく底板９９には誘導灯１を壁面に取付ける際に用いる取付用孔９７が形成されている。
【００３６】
光源３は、冷陰極蛍光ランプであって、誘導表示体８の上方に光源ホルダ３１によって位置するように設けられている。なお、この光源ホルダ３１は、両端部にソケット３２を具備し、さらに光源３の一部を覆うように反射板３３が形成されているものである。
【００３７】
誘導表示体８は、表面に避難方向を示すシンボルが表示されるように形成されるものであって、本実施形態においては、その内部に図示しない導光板を有し、その導光板を重なるようにシンボルが印刷等された表示板を設けているものである。そして、上記導光板の一端部側から上記した光源３の出射光を入射させてシンボルを照明／表示させるものである。
【００３８】
点灯ユニット収納ボックス２は、内部に後述する点灯ユニット１０等、光源３の点灯装置、バッテリ２０の充電回路及び種々の制御を行う制御部等が収納されている。そして、この点灯ユニット収納ボックス２はネジ２１により器具本体９に固定されている。
【００３９】
バッテリ２０は、器具本体９の周枠部９１の底辺９１Ａであって、電気部品収納部９５側に位置するように底辺９１Ａに載置されている。そして、図示しない配線によって点灯ユニット収納ボックス２内の点灯ユニット１０と電気的接続がなされている。
【００４０】
筐体５０は、図１，２に示したように、その底部５８から露出するように押圧式の点検スイッチ５が設けられているとともに、底部５８には報知手段としてのＬＥＤ７が設けられている。そして、筐体５０の点検スイッチ５およびＬＥＤ７は、器具本体９の底辺９１Ａの第三および第四の孔部９３，９４から外報へ臨むように配設される。
【００４１】
送受信ユニット７０は、送信部７２と受信部７３とが設けられており、器具本体９の底辺９１Ａに載置して固定されている。そして、図２に示すように、送信部７２は底辺９１Ａの第一の孔部９２Ａと対向するように配設され、受信部７３は底辺９１Ａの第二の孔部９２Ｂと対向するように配設されている。
【００４２】
そして筐体５０と送受信ユニット７０とは、配線５１、７８を介して点灯ユニット収納ボックス２内の点灯ユニット１０と電気的接続がなされているものである。
【００４３】
次に本実施形態の誘導灯１の回路構成について図３を参照して説明する。
【００４４】
点灯ユニット１０は、常用点灯回路１４、充電回路１５、発振制御部１６、インバータ回路１７及び制御ユニット１９等からなっており、商用電源１１からの電力は整流回路１２に入力され、トランス１３を介して常用点灯回路１４および充電回路１５に入力される。そして、常用点灯回路１４は発振制御部１６により制御され、トランス１を介して入力された電力をインバータ回路１７で高周波電力に変換して光源３に点灯電力を供給する。
【００４５】
また、発振制御部１６は、制御ユニット１９の点灯制御部１９Ａからの制御指令に基づいて制御され、常用点灯モードのときに常用点灯回路１４により光源３を高周波点灯させる。なお、図示しないが、点検スイッチ５も点灯ユニット１０に接続されている。
【００４６】
一方、充電回路１５は、商用電源１１の非常時にバッテリ２０からの電源をインバータ回路１７を介して光源３に給電して光源３を点灯させるものであり、常用点灯モードのときには、トランス１３からの電力をバッテリ２０に充電している。そして、商用電源１１が停電等の非常時には、点灯制御部１９Ａは、充電回路１５に動作指令を出力してバッテリ２０の充電電力をインバータ回路１７に供給させる。これにより、商用電源１１の停電時にはバッテリ２０からの充電電力がインバータ回路１７で高周波変換されて光源３に給電される。これにより、商用電源１１が停電した場合であっても誘導灯１の光源３の点灯を継続できるようにしている。
【００４７】
送受信部１８は、外部の送信機であるリモコン端末６０からの赤外線６１による点検開始指令の信号を受信する図１、２に図示した受信部７２と、当該点検結果を送信する図１，２に示した送信部７３が内蔵されているものである。そして、リモコン端末６０からの点検開始信号が受信部６で受信された場合、点検ユニット１８を介して点検開始指令が点検制御部１９Ｂに入力されるので、点検制御部１９Ｂは非常点検モードとなるように点灯制御部１９Ａの制御を行う。
【００４８】
そして、非常点検モードとなった点灯制御部１９Ａは、発振制御部１６に対して常用点灯回路１４からの電力供給よって光源３が点灯されないように指令を出力すると共に、充電回路１５のバッテリ２０からインバータ回路１７に充電電力の供給をするように動作指令を出力する。これにより、模擬停電状態となって非常点検モードとなる。そして、所定時間（例えば２０分）経過後または所定時間経過中にバッテリ電圧およびランプ点灯状況等の検出し、その検出結果を記憶部６１に記憶する。
【００４９】
非常点検モード終了後においては、点灯制御部１９Ａが発振制御部１６に対して動作指令を出力して常用点灯回路１４を動作させると共に、バッテリ２０の放電を停止させ常用点灯モードに復帰させることとなる。
【００５０】
また非常点検モードが一旦終了すると、制御ユニット１９に設けられているタイマ手段１９Cが次回の定期点検時期までの定期期間（６ヶ月）のカウントを始める。そして、定期期間のカウントが終了すると制御ユニット１９が報知手段であるＬＥＤ７の点灯状態を可変させる（点滅、消灯、点灯又は色可変等）ための信号を出力する。したがって、前記信号に応じてＬＥＤ７の点灯状態が可変することになる。このとき、点検制御部１９Ｂは、所定期間が経過したとしても自動的にバッテリの寿命判断は行わないようになっており、外部からの何かしらの点検開始信号が入力されることで自動的に点検を開始するようになっている。一方、制御ユニット１９は、停電状態又は非常点検モードが所持時間（例えば２０分）以上継続しない場合には、可変させたＬＥＤ７の点灯状態を維持し、停電状態又は非常点検モードが所持時間（例えば２０分）以上継続した場合には、可変させたＬＥＤ７の点灯状態を初期状態に戻すようになっている。
【００５１】
また制御ユニット１９には、タイマ手段１９Ｃへ適宜電源を供給することができる補助電源である電気二重層コンデンサ１９Ｄが接続されている。この電気二重層コンデンサ１９Ｄは、常時は制御ユニット１９を介して充電されているものであり、商用電源の遮断時（停電時）のみにタイマ手段１９Ｃへ電源を供給するようになっているものである。
【００５２】
そして、タイマ手段１９Ｃのカウント中に停電が起こった場合には、電気二重層コンデンサ１９Ｄの電源供給によってタイマ手段１９Ｃのカウントは継続維持されるようになっている。
【００５３】
本実施形態によれば、ＬＥＤ７からの報知情報により、点検作業者等が誘導灯１は定期点検時期に達していることを外部から容易に確認することができるので、定期点検時期を徒過してしまうことを防止することができる。加えて、定期点検の実施時期であることを外部に促すことができるので、定期点検を実施する動機づけを生じやすくなっており、確実な定期点検の実施を実現することができる。
【００５４】
また、タイマ手段１９Ｃ及び点検制御部１９Ｂでは、定期期間経過してもバッテリ２０の寿命を自動的に判断しないようにしているため、本来は定期点検を実施してはならないときに誤って非常点検を実施しないようになっている。このため、誘導灯１の非常用照明装置としての信頼性が低下することがない。
【００５５】
また非常点検実施後の次回の定期点検時期のカウントを停電時間も電気二重層コンデンサ１９Ｄの電源供給によって含むようにしているため、所定期間のカウントを確実にすることができるので、不所望に次回の定期点検時期を実質的に延長させることがない。
【００５６】
また、制御ユニット１９は、停電状態又は非常点検モードが所持時間（例えば２０分）以上継続した場合には、可変させたＬＥＤ７の点灯状態を初期状態に戻すようになっているため、不用意にＬＥＤ７の報知動作が解除されてしまうことを防ぐことでより確実な定期点検の実施を促すことができる。
【００５７】
なお、本実施形態においては、電気二重層コンデンサ１９Ｄを設けたが、これを設けず、タイマ手段１９Ｃは停電が発生した場合には、停電発生直前のカウント値と保持するとともに、停電からの復帰後には保持されている停電発生直前のカウント値から継続してカウントすることでもよい。これは、バッテリ２０の短寿命化を招く要因の一つは、バッテリ２０の充放電を繰返すサイクルが多くなることであるが、仮に定期期間内に停電が複数回生じた場合にはその都度バッテリ２０は充放電されることになるので、定期期間内に一度も停電がなかった状態に比べると点寿命化の傾向になる。したがって、本変形例の場合には、バッテリ２０が実際にインバータ１７に接続されて光源３へ電源を供給する時間は定期期間のカウントに含まないことで、定期点検におけるバッテリ２０の状態をタイムリーに判別できるようになる。
【図面の簡単な説明】
【００５８】
【図１】本実施形態の非常用照明装置である誘導灯を示した一部切欠き断面正面図
【図２】本実施形態の非常用照明装置である誘導灯の斜視図
【図３】本実施形態の非常用照明装置である誘導灯の底面図
【符号の説明】
【００５９】
３・・・光源、２０・・・バッテリ、１５・・・充電回路、１９Ｂ・・・点検制御手段である点検制御部、１９Ｃ・・・タイマ手段、７・・・報知手段であるＬＥＤ、１９Ｄ・・・補助電源手段である電気二重層コンデンサ
【図１】
2008108697.tif 000003
【図２】
2008108697.tif 000004
【図３】
2008108697.tif 000005